(57)【要約】【課題】録音機能付き観察光学装置の集音効果を向上させる。【解決手段】録音機能付き観察光学装置の本体１０は、一対の観察光学系２０Ｌおよび２０Ｒを収容し、その上面１０ａには画像表示装置４０を回転自在に取付けられている。画像表示装置４０は、本体１０に使用状態の時に操作者に対面する画像表示部４２と、この画像表示部４２の反対側に形成された回転放物面を呈する集音部材４４とを有する。本体上面１０ａに録音マイク５０を設け、この録音マイク５０を画像表示装置４０の使用状態のときに集音部材４４の焦点位置に来るように配置している。【選択図】        図１
2004309673.tif 000002
【特許請求の範囲】
【請求項１】
観察光学系を備えた本体と、前記本体に取付けられた表示装置と、録音マイクとを備え、さらに前記表示装置が、使用状態の時に操作者に対面する表示部と、この表示部の反対側に設けられて前記録音マイクに集音する集音部とを有することを特徴とする録音機能付き観察光学装置。
【請求項２】
前記録音マイクは、前記表示装置よりも対物側に設けられるとともに前記表示装置が使用状態のときに前記集音部に対向することを特徴とする請求項１に記載の録音機能付き観察光学装置。
【請求項３】
前記集音部が回転放物面を有し、前記画像表示装置の使用状態のときに前記録音マイクが前記回転放物面の焦点位置に位置することを特徴とする請求項１に記載の録音機能付き観察光学装置。
【請求項４】
前記本体は左右一対の観察光学系を有し、前記録音マイクは前記本体において前記一対の観察光学系の間に配置されることを特徴とする請求項１に記載の録音機能付き観察光学装置。
【請求項５】
前記画像表示装置は、前記集音部を保護するためのカバーを備えることを特徴とする請求項１に記載の録音機能付き観察光学装置。
【請求項６】
前記録音マイクがスピーカ機能を有し、音声データが格納されたメモリと、前記メモリの前記音声データを選択する選択手段と、前記録音マイクを駆動制御する制御手段とをさらに備え、この制御手段は、前記選択手段によって選択された音声データを再生して前記録音マイクから音声を発生させることを特徴とする請求項１に記載の録音機能付き観察光学装置。
【発明の詳細な説明】
【０００１】
【発明の属する技術分野】
本発明は、双眼鏡や単眼鏡等の観察光学装置に関し、特に録音機能を搭載した観察光学装置に関するものである。
【０００２】
【従来の技術】
近年、デジタルカメラの機能が搭載されたデジタルカメラ機能付き双眼鏡が知られており、このようなデジタルカメラ機能付き双眼鏡では、双眼鏡部を通して観察される映像と略同一の画像を液晶モニタに表示できると共に画像データを記録可能である（例えば、特許文献１参照）。
【０００３】
ところで、一般的なデジタルカメラには記録画像に音声を付すための録音マイクを備え撮影と同時または後に録音する機能を搭載したものがあり、このような録音機能は、撮影現場において周囲の音を録音し臨場感を演出する際に利用されている。
【０００４】
このような録音機能を、上述したデジタルカメラ機能付双眼鏡に付加することも考えられるが、双眼鏡のような観察光学装置の観察光学系は遠方の物体を観察するための望遠光学系であるので、単純に録音マイクを設置しても、装置周辺の音しか記録できず、撮影または観察している遠方被写体の音声は殆ど拾えないという問題がある。
【０００５】
【特許文献１】
特開２００１−２８１５５５号公報
【０００６】
【発明が解決しようとする課題】
本発明は上記問題点に鑑みて成されたものであり、遠方被写体からの音声の集音能力を向上させた録音機能付き観察光学装置を提供することを課題としている。
【０００７】
【課題を解決するための手段】
本発明に係る録音機能付き観察光学装置は、観察光学系を備えた本体と、本体に取付けられた表示装置と、録音マイクとを備え、さらに表示装置が、使用状態の時に操作者に対面する表示部と、この表示部の反対側に設けられて録音マイクに集音する集音部とを有することを特徴とする。これにより、録音マイクへの集音効果を高めることができる。
【０００８】
上記録音機能付き観察光学装置において、録音マイクは表示装置よりも対物側に設けられるとともに表示装置が使用状態のときに集音部に対向することが好ましい。また、集音部が回転放物面を有し、画像表示装置の使用状態のときに録音マイクが回転放物面の焦点位置に位置することが好ましい。またさらに、本体が左右一対の観察光学系を有しているときには、録音マイクは本体において一対の観察光学系の間に配置されることが好ましい。画像表示部は回転放物面を保護するためのカバーを備えていてもよい。
【０００９】
録音マイクはスピーカ機能を有していてもよく、この場合録音機能付き観察光学装置が音声データが格納されたメモリと、メモリの音声データを選択する選択手段と、録音マイクを駆動制御する制御手段とをさらに備え、この制御手段が選択手段によって選択された音声データを再生して録音マイクから音声を発生させるように構成してもよい。
【００１０】
【発明の実施の形態】
以下、本発明の実施形態について添付図面を参照して説明する。
【００１１】
図１〜図４を参照して、本発明の録音機能付き観察光学装置の実施形態について説明する。なお、本実施形態においては観察光学装置として双眼鏡を用いている。図１は録音機能付き観察光学装置の斜視図である。図２および図３は、録音機能付き観察光学装置を図１の右方から見た側面を簡略的に示す図であり、図２は表示装置の収納状態を示し、図３は表示装置の使用状態を示す。図４は録音機能付き観察光学装置を対物レンズ側から見た側面を簡略的に示す図である。
【００１２】
録音機能付き観察光学装置は、略直方体形状を呈する本体１０を備え、この本体１０の内部には双眼鏡として使用するための一対の観察光学系２０Ｌおよび２０Ｒと、デジタルカメラとして使用するための撮影光学系１４および撮像ブロック１６と、これらを駆動制御するための回路が設けられた基板１８とが設けられる。
【００１３】
左眼用観察光学系２０Ｌは、対物レンズ２２Ｌ、反転光学系（ダハプリズム）２４Ｌおよび接眼レンズ２６Ｌから成り、右眼用観察光学系２０Ｒは左眼用観察光学系２０Ｌと同様の構成を有している（図１では接眼レンズ２６Ｒのみを示す）。双眼鏡として使用するときには、操作者は本体１０を保持しつつ左眼および右眼を対物レンズ２２Ｌ、２２Ｒにそれぞれ近づけて、一対の観察光学系２０Ｌおよび２０Ｒにより被写体を両眼視することができる。なお、本体１０の左眼用観察光学系２０Ｌを収容する部分（図１中左側部分）は光軸に垂直な水平方向（図１中、矢印Ｂで示す）に所定量だけスライド自在であり、これにより左眼用観察光学系２０Ｌと右眼用観察光学系２０Ｒとの光軸間距離Ｄ（図４参照）、即ち眼幅を調整できる。図４は眼幅を広げた状態を示している。
【００１４】
撮影光学系１４および撮像ブロック１６は、左眼用観察光学系２０Ｌと右眼用観察光学系２０Ｒとの間に配され、本体上面１０ａの図中右手前側に設けられたレリーズボタン３０により撮影が指示されると静止画像または動画像を撮影することができる。本体１０の上面１０ａ、詳しくは左眼用観察光学系２０Ｌと右眼用観察光学系２０Ｒとの間であって撮影光学系１４の上方位置には、長方形板状の画像表示装置４０（表示装置）が折畳み自在に取付けられ、その一方の面にはＬＣＤ等から成る画像表示部４２が設けられる。画像表示部４２は撮影により得られた画像を再生表示し、また撮影時のファインダとしても使用される。さらに撮影条件や種々のモードを設定する時は各種設定情報等が表示される。本体上面１０ａのレリーズボタン３０よりも対物側には、メニューキー３２、モード等を設定するための４つの方向キー３４ａとこれらに囲まれるＯＫキー３４ｂとが設けられる。
【００１５】
左眼用観察光学系２０Ｌの光軸ＬＬと、右眼用観察光学系２０Ｒの光軸ＬＲと、撮影光学系１４の光軸ＬＣとは平行であり、双眼鏡として使用するときの観察方向と、デジタルカメラとして使用するときの撮影方向とは実質的に一致している。画像表示装置４０は一端縁を本体上面１０ａに回動自在に取付けられ、その回動範囲は図中矢印Ａで示され、またその回動軸心ＬＭは全光学系２０Ｌ、２０Ｒおよび１４の光軸ＬＬ、ＬＲおよびＬＣに対して垂直であり、かつ本体上面１０ａに対してほぼ平行である。
【００１６】
双眼鏡として使用するとき即ち一対の観察光学系２０Ｌおよび２０Ｒで被写体を観察するときや、持ち運ぶとき等の画像表示装置４０を使用しないときには、画像表示装置４０は図１の実線で示す収納位置に折り畳まれる。このとき、画像表示部４２の画像表示面は本体上面１０ａにほぼ密着状態で対向していて外部に露出しないので、塵埃等の付着が防止される。
【００１７】
デジタルカメラとして使用するとき即ち撮影光学系１４および撮像ブロック１６により被写体を撮影するときや、メモリカード６０に格納された画像を参照するとき等の画像表示装置４０を使用するときには、画像表示装置４０は本体上面１０ａに対して約１２０度開いた図１の二点鎖線で示す使用位置に位置決めされ、撮影した被写体像が、接眼側に向けられた画像表示部４２の画像表示面に表示される。これにより接眼側の操作者は動画像または静止画像を視認できる。本体上面１０ａには、画像表示装置４０よりも対物側に画像表示装置４０の回転を規制する２つのストッパ４６が設けられる。画像表示装置４０の画像表示部４２の反対側の側面である背面４０ａがストッパ４６に当接すると、画像表示装置４０は使用位置に位置決めされる。
【００１８】
撮影された動画像または静止画像は、本体１０に着脱自在な外部記録媒体、例えばメモリカード６０に記録できる。本体１０は、図１の右方側面にメモリカード６０を挿入するためのカードスロット１０ｂを備えている。
【００１９】
本体上面１０ａの２つのストッパ４６の間にはマイク格納部５２が一体的に設けられ、このマイク格納部５２には録音マイク５０が収容される。録音マイク５０は、画像表示装置４０よりも対物側即ち本体１０の前方側であって、一対の観察光学系２０Ｒおよび２０Ｌの略中間に位置している。録音マイク５０は例えば録音機能とスピーカ機能とを兼ね備えたダイナミックマイクであり、その録音面（音声発生面と同一）のみがマイク格納部５２から外部に露出している。録音マイク５０の録音面は、使用位置にある画像表示装置４０（図３参照）に略平行、図３では右斜め上に傾斜しており、かつその背面４０ａから一定の距離だけ離れている。マイク格納部５２は使用位置にある画像表示装置４０に対してストッパ４６よりも対物側へ窪んでおり、画像表示装置４０と録音マイク５０との接触を避けている。
【００２０】
録音機能付き観察光学装置は、記録された画像データに撮影の直後に録音された音声データを付すことができ、また画像データを画像表示装置４０で再生させるとともに付随する音声データを再生することができる。本体上面１０ａにおけるメニューボタン３２の図１右方には、任意のタイミングで音声データを再生するための音声再生ボタン３６が設けられる。
【００２１】
画像表示装置４０の背面４０ａには、凹状に窪んだ集音部材４４（集音部）が設けられる。画像表示装置４０が図３に示す使用位置に位置決めされるとき、集音部材４４は録音マイク５０の録音面と互いに向かい合う。さらに、集音部材４４は外部に露出する面が回転放物面に形成され、画像表示装置４０が使用位置に位置決めされた状態で、回転放物面の焦点が録音マイク５０の集音面に一致するように設計される。言い換えると、図３に示すように、光軸に平行な方向から集音部材４４に向かって進行する音波が、回転放物面における任意の点の法線Ｎに関して等角度で反射され、録音マイク５０に集音されるように、回転放物面の形状と録音マイク５０の位置とが定められる。これにより、集音方向と、観察方向または撮影方向が一致し、本体１０を被写体に向けたときに被写体からの音声を効果的に集音でき、また、録音マイク５０から発せられる音声は強い指向性を有する音波として被写体に向かって進行する。なお、集音部材４４は金属部材から形成されるが、音波を効率よく反射できる材料であればよく、特に限定されない。また、集音部材４４は画像表示装置４０と別体に形成されているが、画素表示装置４０の背面を回転放物面に成形して集音部としてもよい。
【００２２】
野鳥は同種の鳴き声を聞き分けて近寄ってくるという性質を有しているので、データベースから観察中の野鳥を選択し、その音声データを再生して録音マイク５０から発しつつ本体１０を観察中の野鳥に向ければ、野鳥に鳴き声が届いて、操作者の近傍にその野鳥を呼び寄せることができ、口真似や鳥笛を必要とせずにバードウォッチングを楽しむことができる。
【００２３】
図５は、録音機能付き観察光学装置のデジタルカメラ機能に関連する基板１８の電気的構成を示すブロック図である。被写体からの反射光は撮影光学系１４により撮像ブロック１６に包含される撮像素子（図示せず）に結像され、撮像素子は光学的被写体像を光電変換して画像信号として出力する。撮像ブロック１６には撮像素子の他にプロセス回路（図示せず）が設けられ、このプロセス回路により所定の信号処理が施された画像信号はキャプチャ回路７２を経てプロセッサ７４に送られる。キャプチャ回路７２は、撮像ブロック１６からの画像信号をレリーズボタン３０の操作に応じて一時的に保持すると共に必要に応じて間引き処理などを行う。撮像ブロック１６およびキャプチャ回路７２は、タイミングジェネレータ７６からの同期信号により制御され、タイミングジェネレータ７６はプロセッサ７４により制御される。プロセッサ７４は録音機能付き観察光学装置における撮影、画像信号の生成、記録、表示等の動作を統括的に制御するマイクロコンピュータである。
【００２４】
被写体像をリアルタイムで観察するプレビューモードのときには、キャプチャ回路７２は撮像ブロック１６からの画像信号を間引きしてプロセッサ７４に出力し、プロセッサ７４は画像信号に基づいて例えば１／３０秒毎に１フレーム分の画像データを生成して、バス７８を介して画像表示装置４０へ出力する。画像表示装置４０は画像データに基づいて３０フレーム／秒の動画像を画像表示部４２に表示する。レリーズボタン３０が操作されて撮影モードになると、キャプチャ回路７２は撮像ブロック１６からの画像信号を間引きせずにプロセッサ７４に出力し、プロセッサ７４は画像信号から１フレーム分または複数フレーム分の画像データを生成し、バス７８を介して作業用メモリ８０に画像データを一時的に保存するともに、バス７８を介して画像表示装置４０へ出力する。画像表示装置４０は１フレーム分の画像データに基づいて静止画像を画像表示部４２に表示する、または複数フレーム分の画像データに基づいて動画像を画像表示部４２に表示する。
【００２５】
プロセッサ７４には、バス７８を介して作業用メモリ８０、フラッシュメモリ（ＥＥＰＲＯＭ）８２、ＲＯＭ８４、画像表示装置４０およびスイッチ群８６が接続される。スイッチ群８６は、レリーズボタン３０、メニューボタン３２、方向キー３４ａ、ＯＫキー３４ｂおよび音声再生ボタン３６の各ボタンの押下動作によってそれぞれオンに切換わる各種スイッチを含む。ＲＯＭ８４には、プロセッサ７４の動作を制御するためのプログラムが格納され、起動時にプロセッサ７４のシステム領域にプログラムが読込まれ実行される。
【００２６】
また、プロセッサ７４にはＩ／Ｏコントロール回路８８が接続され、さらにＩ／Ｏコントロール回路８８には記録媒体制御回路９０が接続される。記録媒体制御回路９０は、カードスロット１０ｂ（図１参照）に装着されたメモリカード６０への画像データの書込みおよびメモリカード６０からの画像データの読出しを行う。
【００２７】
録音機能付き観察光学装置をバードウォッチングに使用するために、観察対象物である野鳥に関する情報のデータベースがフラッシュメモリ８２に格納されている。野鳥のデータベースは、具体的には複数種類の野鳥の姿形の代表的な画像データと、対応する鳴き声の音声データおよび種名、生息分布、生態等の文字データである。例えば、バードウォッチングでは、野鳥を一対の観察光学系２０Ｌおよび２０Ｒにより観察するとともに、画像表示装置４０を開けてデータベースからその野鳥を選択し、画像表示部４２の画像表示面に選択した野鳥の画像および文字情報を映すことができる。その際に、鳴き声を再生させれば集鳥効果が期待できる。なお、本実施形態ではバードウォッチングに用いる場合を例に説明するが、これ以外にも例えば鳥類以外の動物の観察、スポーツ観戦、天体観測等にも用いることができ、使用目的に応じてフラッシュメモリ８２内のデータベースの内容を書換えることができる。
【００２８】
録音マイク５０は、電磁誘導を利用したムービングコイル型のダイナミックマイクであり、音圧の変化によって動く振動板と一体的なコイルが永久磁石によって作られた磁界で動くと、音圧に応じた電流（音声信号）を発生する。録音マイク５０は録音面の正面から来る音に対して最も感度がよい単一指向性を有する。
一方、音声（音圧）に応じた電流をコイルに流すと、それに比例して振動板が空気を圧縮または膨張させることにより音波が発生して空間に放射される。振動板は録音面および音声発生面に相当する。
【００２９】
録音マイク５０はプロセッサ７４に接続され、録音時の場合には音波を音声信号に変換してプロセッサ７４に出力し、プロセッサ７４は録音マイク５０の出力に応じて一定時間、例えば５秒間の音声データを生成する。一方、音声再生時の場合にはプロセッサ７４は再生すべき音声データに基づいて録音マイク５０を駆動し、音声データを音波に変換させる。音声再生モードは音声再生ボタン３６の押下によって設定され、この音声再生モードの時に再度音声再生ボタン３６を押下すると所望のタイミングで音声が録音マイク５０から発せられる。
【００３０】
次に、図６および図７を参照して音声再生および録音の処理について説明する。図６はプロセッサ７４において実行されるプログラムのメインルーチンを示すフローチャートであり、図７はそのサブルーチンを示すフローチャートである。
【００３１】
このプログラムは録音機能付き観察光学装置の電源が投入されて画像表示装置４０が使用位置に位置決めされると開始され、まずステップＳ１００で初期化処理、具体的にはモードに応じて録音機能付き観察光学装置の種々の設定を行う処理が行われる。初期状態では録音機能付き観察光学装置はリアルタイムで被写体像を観察するプレビューモードに設定される。
【００３２】
次に、ステップＳ１０２では画像表示処理が行われる。プレビューモードの場合はキャプチャ回路７２によって間引きされた動画像が画像表示装置４０の画像表示部４２に表示される。ステップＳ１０４ではメニューボタン３２または音声再生ボタン３６の押下によりモードや設定変更の指示があったか否かが判定される。メニューボタン３２が押された場合には、ステップＳ１０６において方向キー３４ａおよびＯＫキー３４ｂの操作によってモード変更処理が行われてステップＳ３００において電源がオフでないと判定されるとステップＳ１０２に戻り、変更されたモードに基づいて再び画像表示処理が行われる。
【００３３】
例えば、ステップＳ１０４で音声再生ボタン３６が押下されたと判定された場合には、ステップＳ１０６のモード変更処理で音声再生モードに設定され、音声データの選択が可能になってステップＳ１０２に戻る。その後にメニューキー３２によってデータベースの検索が指示され（ステップＳ１０４）、ステップＳ１０６のモード変更処理において４つの方向キー３４ａの操作によってフラッシュメモリ８２内のデータベースに含まれる項目（野鳥の名前）が検索されてＯＫボタン３４ｂの操作により該当する項目が選択されると、フラッシュメモリ８２から選択した野鳥の画像データおよび文字データと共に音声データが読み出され、作業用メモリ８０に書き込まれる。そしてステップＳ１０２に戻って作業用メモリ８０から読み出された画像データおよび文字データは画像表示装置４０に転送されて、画像表示部４２には選択した野鳥の画像と文字情報が表示されると共に、音声データの再生が可能となる。音声再生ボタン３６が押下されずに、即ち音声再生モードに設定されずにデータベースの検索が指示された場合には、音声データはフラッシュメモリ８２から読み出されず、再生することはできない。
【００３４】
また、例えばメモリカード６０に記録されている画像データおよび音声データを再生する場合には、音声再生ボタン３６を押下して（ステップＳ１０４）音声再生モードに変更し（ステップＳ１０６）、その後ステップＳ１０２に戻ってメニューキー３２によってメモリカード６０内のデータの再生を指示し（ステップＳ１０４）、４つの方向キー３４ａによって再生すべき画像データおよび音声データを含むファイルを選択し、ＯＫボタン３４ｂによって確定すれば、メモリカード６０から画像データおよび音声データが読み出されて作業用メモリ８０に書き込まれる（ステップＳ１０６）。そして画像表示部４２には選択したファイルの画像が表示されると共に、付随する音声データの再生が可能となる。音声再生モードに設定されずにメモリカード６０内のデータの再生が指示された場合、あるいは選択したファイルに音声データが含まれない場合には、音声データを再生することはできない。
【００３５】
このように、フラッシュメモリ８２またはメモリカード６０内の画像データ（および音声データ）の再生が、メニューキー３２によって指示された場合には、ステップＳ１０６のモード変更処理ではプレビューモードから再生モードに切換えられ、選択した画像データ（および音声データ）を含むファイルの読出しが行われて、画像表示部４２に選択した画像を表示すべく作業用メモリ８０に書き込まれる。ステップＳ１０２の画素表示処理では、プレビューモードの時にはキャプチャ回路７２からの間引きした画像データを画像表示装置４０に転送し、再生モードの時には作業用メモリ８０から読み出した画像データを転送する。なお、再生モードからプレビューモードへの復帰もメニューキー３２によって指示される。
【００３６】
ステップＳ１０２の画像表示処理の終了後にメニューボタン３２または音声再生ボタン３６が押下されなければステップＳ１０４からステップＳ１１０に進み、ここで再生モードであるか否かが判定される。再生モードであると判定されると、ステップＳ１１２において音声再生が可能か否かが判定される。音声再生モードであって、かつ再生すべき音声データが作業用メモリ８０に格納されている場合には、音声再生が可能であると見做されてステップＳ１１４が実行される。ステップＳ１１４では音声再生ボタン３６の押下によってスイッチ群８６の一つである音声再生スイッチがオンとなったか否かが判定され、音声再生スイッチがオンであると判定されれば音声再生が指示されたと見做されてステップＳ１１６において作業用メモリ８０から音声データが読み出されて再生され、録音マイク５０から音声が発せられる。ステップＳ１１２において音声再生ができない、例えば音声再生モードが設定されていない、または再生すべき音声データがない場合や、ステップＳ１１４で音声再生ボタン３６が押されなかった場合、さらにはステップＳ１１６で音声再生が完了した場合には、ステップＳ３００を経てステップＳ１０２に戻る。
【００３７】
ステップＳ１１０で再生モードではない、即ちプレビューモードであると判定されると、ステップＳ１２０においてレリーズボタン３０が押されてレリーズスイッチがオンとなったか否かが判定される。レリーズスイッチがオンとなったときにはステップＳ２００の撮影処理において被写体が撮影されると共に録音され、画像データおよび音声データが生成されてメモリカード６０に保存される。ステップＳ１２０においてレリーズスイッチがオフであると判定された場合、またはステップＳ２００の撮影処理が完了した場合にはステップＳ３００を経てステップＳ１０２に戻る。ステップＳ３００で電源がオフであると判定されたときにはこのプログラムは終了する。
【００３８】
図７を参照してステップＳ２００の撮影処理の詳細について説明する。ステップＳ２０２では撮像ブロック１６を駆動してレリーズスイッチがオンとなった時点での静止画像またはオンとなった時間から一定時間経過するまでの動画像が撮影され、ステップＳ２０４では画像データが生成されて作業用メモリ８０に一時的に保存される。続くステップＳ２０６では撮影前に予め録音モードが設定されているか否かが判定される。録音モードはメニューボタン３２、方向キー３４ａおよびＯＫボタン３４ｂによって撮影機能のオプションとして設定され、ステップＳ１０６のモード変更処理において変更可能である。
【００３９】
ステップＳ２０６において録音モードでないと判定されると、画像の撮影のみを行うと見做され、ステップＳ２０８において作業用メモリ８０に一時的に保存されている画像データがメモリカード６０に書込まれる。録音モードの場合にはステップＳ２１０〜ステップＳ２１６が実行される。具体的には、録音マイク５０が駆動されて所定時間、例えば５秒間の集音動作が行われ、ステップＳ２１２において音声データが生成され、ステップＳ２１４において音声データとステップＳ２０４で得られた画像データとが合成され、ステップＳ２１６においてこの合成データがメモリカード６０に記録される。ステップＳ２０８またはステップＳ２１６が終了すると、このサブルーチンは終了して図６のステップＳ３００に戻る。
【００４０】
以上のように、本実施形態の録音機能付き観察光学装置は、録音マイク５０へ集音させる集音部材４４を設けており、これにより集音能力を向上させることができる。また、この集音部材４４は画像表示装置４０の背面４０ａを利用しているので、双眼鏡全体を大型化したり、望遠マイクやパラボラマイク等の集音効果の高い録音マイクを別途接続する必要がなく、携帯性を損なわない。また、画像表示部４２の反対側に設けているので集音方向と観察方向または撮影方向とが一致し、本体１０を被写体に向けるだけで、被写体から来る音声を効率よく集音できる。
【００４１】
録音機能付き観察光学装置は被写体の説明等の音声メモを録音することも可能であり、この場合は、画像表示装置４０を収納位置側へ倒せば、録音マイク５０の録音面は操作者に対向する。これにより、録音マイク５０が操作者の音声を拾い易くなる。録音を行う状況下では、本体１０を手で保持し、一対の観察光学系２０Ｌおよび２０Ｒを通して、または画像表示部４２において被写体を観察した後に、本体１０を下ろして口に録音マイク５０を寄せる場面が多いと想定されるので、録音マイク５０の位置は一対の観察光学系２０Ｌおよび２０Ｒの中間にあって、なおかつその録音面が操作者側に向けられていることが操作性の点で好ましい位置である。
【００４２】
なお、図８の断面図に示すように、集音部材４４の外側には画像表示装置４０と略同形状の保護カバー４８が設けられてもよい。保護カバー４８は回転軸心ＬＭとは反対側の端縁部に回動自在に取付けられる。回動範囲を矢印Ｃで示す。保護カバー４８は通常は集音部材４４の全体を覆ってこれを保護し、録音マイク５０の使用時には集音部材４４への音波の進行を妨げないように集音部材４４から上方へ退避させられる。
【００４３】
上記実施形態においては、録音機能を搭載する観察光学装置として、携帯性や使い勝手等で最も効果的であると考えられる双眼鏡を採用しているが、双眼鏡以外の観察光学装置、例えば、スポッティングスコープ等の単眼鏡を採用してもよい。
【００４４】
【発明の効果】
以上説明したように、本発明によると、集音効果が向上した録音機能付き観察光学装置を得ることができる。
【図面の簡単な説明】
【図１】録音機能付き観察光学装置の斜視図である。
【図２】録音機能付き観察光学装置を図１の右方から見た側面を簡略的に示す図であって、画像表示装置の収納状態を示す図である。
【図３】録音機能付き観察光学装置を図１の右方から見た側面を簡略的に示す図であって、画像表示装置の使用状態を示す図である。
【図４】録音機能付き観察光学装置を対物レンズ側から見た側面を簡略的に示す図である。
【図５】録音機能付き観察光学装置のデジタルカメラ機能に関連する電気的構成を示すブロック図である。
【図６】プロセッサにおいて実行されるプログラムのメインルーチンを示すフローチャートである。
【図７】図６に示す撮影処理サブルーチンの詳細を示すフローチャートである。
【図８】録音機能付き観察光学装置の断面図であって、画像表示装置の他の例を示す図である。
【符号の説明】
１０  本体
１０ａ  上面
２０Ｌ、２０Ｒ  観察光学系
４０  画像表示装置
４２  画像表示部
４４  集音部材
５０  録音マイク
【図１】
2004309673.tif 000003
【図２】
2004309673.tif 000004
【図３】
2004309673.tif 000005
【図４】
2004309673.tif 000006
【図５】
2004309673.tif 000007
【図６】
2004309673.tif 000008
【図７】
2004309673.tif 000009
【図８】
2004309673.tif 000010